(57)【要約】【課題】第３除湿運転時における除湿量を増やすことができる空気調和機を提供する。【解決手段】空気調和機は制御部(１００)を備える。制御部(１００)は、室内熱交換器(１１)の実質的に全部を蒸発域にする第１除湿運転と、室内熱交換器(１１)の一部を蒸発域にする一方、室内熱交換器(１１)の残りの部分を過熱域にする第２除湿運転と、室内熱交換器(１１)において制御弁(１３)よりも上流側の部分を凝縮域とする一方、室内熱交換器(１１)において制御弁(１３)よりも下流側の部分を蒸発域とする第３除湿運転とを行うと共に、第３除湿運転時における上記室内ファン(１２)の回転数の上限値が、第２除湿運転時における室内ファン(１２)の回転数の上限値よりも高くなるように、室内ファン(１２)を制御する。【選択図】図２
2020070984.tif 000002
【特許請求の範囲】
【請求項１】
圧縮機(２１)、室外熱交換器(２３)、膨張機構(２４)および室内熱交換器(１１)が環状に接続され、冷媒が循環する冷媒回路(ＲＣ)と、
上記室内熱交換器(１１)に空気を送る室内ファン(１２)と、
制御部(１００)と
を備え、
上記室内熱交換器(１１)は制御弁(１３)を有し、
上記制御部(１００)は、
上記室内熱交換器(１１)の実質的に全部を蒸発域にする第１除湿運転と、
上記室内熱交換器(１１)の一部を蒸発域にする一方、上記室内熱交換器(１１)の残りの部分を過熱域にする第２除湿運転と、
上記室内熱交換器(１１)において上記制御弁(１３)よりも上流側の部分を凝縮域とする一方、上記室内熱交換器(１１)において上記制御弁(１３)よりも下流側の部分を蒸発域とする第３除湿運転と
を行うと共に、
上記第３除湿運転時における上記室内ファン(１２)の回転数の上限値が、上記第２除湿運転時における上記室内ファン(１２)の回転数の上限値よりも高くなるように、上記室内ファン(１２)を制御することを特徴とする空気調和機。
【請求項２】
請求項１に記載の空気調和機において、
上記制御部(１００)は、上記第３除湿運転時における上記室内ファン(１２)の回転数の下限値が、上記第２除湿運転時における上記室内ファン(１２)の回転数の下限値よりも高くなるように、上記室内ファン(１２)を制御することを特徴とする空気調和機。
【請求項３】
請求項１または２に記載の空気調和機において、
上記制御部(１００)は、上記第３除湿運転を上記第２除湿運転に引き続いて開始させることを特徴とする空気調和機。
【発明の詳細な説明】
【技術分野】
【０００１】
本開示は、空気調和機に関する。
【背景技術】
【０００２】
従来、空気調和機としては、特開２００４−１０８６１８号公報(特許文献１)に開示されているように、顕熱能力の大きな第１除湿運転と、この第１除湿運転よりも顕熱能力が小さい第２除湿運転と、この第２除湿運転よりも顕熱能力が小さい第３除湿運転とを行うものがある。
【先行技術文献】
【特許文献】
【０００３】
【特許文献１】特開２００４−１０８６１８号公報
【発明の概要】
【発明が解決しようとする課題】
【０００４】
上記従来の空気調和機の第３除湿運転では、除湿量が少なくなってしまうという問題があった。
【０００５】
本開示の課題は、第３除湿運転時における除湿量を増やすことができる空気調和機を提供することにある。
【課題を解決するための手段】
【０００６】
本開示の空気調和機は、
圧縮機、室外熱交換器、膨張機構および室内熱交換器が環状に接続され、冷媒が循環する冷媒回路と、
上記室内熱交換器に空気を送る室内ファンと、
制御部と
を備え、
上記室内熱交換器は制御弁を有し、
上記制御部は、
上記室内熱交換器の実質的に全部を蒸発域にする第１除湿運転と、
上記室内熱交換器の一部を蒸発域にする一方、上記室内熱交換器の残りの部分を過熱域にする第２除湿運転と、
上記室内熱交換器において上記制御弁よりも上流側の部分を凝縮域とする一方、上記室内熱交換器において上記制御弁よりも下流側の部分を蒸発域とする第３除湿運転と
を行うと共に、
上記第３除湿運転時における上記室内ファンの回転数の上限値が、上記第２除湿運転時における上記室内ファンの回転数の上限値よりも高くなるように、上記室内ファンを制御する。
【０００７】
上記構成によれば、上記制御部が室内ファンを制御することにより、第３除湿運転時における室内ファンの回転数の上限値が、第２除湿運転時における室内ファンの回転数の上限値よりも高くなる。したがって、上記第３除湿運転時における除湿量を増やすことができる。
【０００８】
一態様の空気調和機では、
上記制御部は、上記第３除湿運転時における上記室内ファンの回転数の下限値が、上記第２除湿運転時における上記室内ファンの回転数の下限値よりも高くなるように、上記室内ファンを制御する。
【０００９】
上記態様によれば、上記制御部が室外ファンを制御することにより、第３除湿運転時における室内ファンの回転数の下限値が、第２除湿運転時における室内ファンの回転数の下限値よりも高くなる。したがって、上記第３除湿運転で室内を除湿するとき、室温低下の抑制能力を高めることができる。
【００１０】
一態様の空気調和機では、
上記制御部は、上記第３除湿運転を上記第２除湿運転に引き続いて開始させる。
【００１１】
上記態様によれば、上記第２除湿運転に引き続いて第３除湿運転が行われることにより、消費電力を低減することができる。
【図面の簡単な説明】
【００１２】
【図１】本開示の一実施形態の空気調和機の冷媒回路の回路図である。
【図２】上記空気調和機の制御ブロック図である。
【図３】上記空気調和機の冷房除湿運転を説明するための模式図である。
【図４】上記空気調和機の過絞り除湿運転を説明するための模式図である。
【図５】上記空気調和機の再熱除湿運転を説明するための模式図である。
【図６】上記空気調和機の冷房除湿運転、過絞り除湿運転および再熱除湿運転に関するモリエル線図である。
【図７】上記空気調和機の冷房除湿運転、過絞り除湿運転および再熱除湿運転の運転条件を比較するための表である。
【発明を実施するための形態】
【００１３】
以下、本開示の空気調和機を、図示の実施の形態により詳細に説明する。
【００１４】
図１は、本開示の一実施形態の空気調和機が備える冷媒回路ＲＣの回路図である。
【００１５】
上記空気調和機は、空調対象である室内に設置される室内機１と、室外に設置される室外機２とを備える。
【００１６】
室内機１は、例えば、室内の壁面に取り付けられる壁掛け式の室内ユニットである。この室内機１は、室内熱交換器１１と、この室内熱交換器１１に空気を送る室内ファン１２と、室内熱交換器１１の温度を検出する室内熱交換器温度センサ５１と、室内温度を検出する室内温度センサ５２と、室内湿度を検出する室内湿度センサ５３とを有する。
【００１７】
室内熱交換器１１は、室内ファン１２による空気流に関して、室内ファン１２よりも上流側に位置している。この室内熱交換器１１は、室内ファン１２からの空気と冷媒との熱交換を行うために、本体熱交換部１１ａと、補助熱交換部１１ｂと、制御弁の一例としての電磁弁１３とを有する。
【００１８】
本体熱交換部１１ａは、室内ユーザ側に位置する正面部１１ａ−１と、室内ユーザ側とは反対側に位置する背面部１１ａ−２とから成っている。また、正面部１１ａ−１は、冷媒配管Ｌ１，Ｌ２および電磁弁１３を介して背面部１１ａ−２に流体的に接続されている。これにより、膨張弁２４から本体熱交換部１１ａへ流れる冷媒は、正面部１１ａ−１を流れた後、背面部１１ａ−２に流入することが可能となっている。
【００１９】
補助熱交換部１１ｂは、本体熱交換部１１ａの正面部１１ａ−１に関して本体熱交換部１１ａの背面部１１ａ−２側とは反対側に設けられている。すなわち、補助熱交換部１１ｂは、本体熱交換部１１ａの正面部１１ａ−１よりも、室内ユーザ側に位置する。この補助熱交換部１１ｂは、本体熱交換部１１ａよりも、容積が小さい。また、補助熱交換部１１ｂは、冷媒配管Ｌ１１を介して本体熱交換部１１ａの正面部１１ａ−１に流体的に接続されている。これにより、膨張弁２４側からの冷媒は、補助熱交換部１１ｂを介して、本体熱交換部１１ａに供給される。このように、補助熱交換部１１ｂは、冷媒配管Ｌ３と冷媒配管Ｌ１１との間の冷媒パスを有するものと言える。
【００２０】
室内ファン１２としては、例えば、クロスフローファンが採用される。このクロスフローファンは、室内熱交換器１１で温度などが調整された空気を室内に向けて吹き出す。
【００２１】
電磁弁１３は、電磁弁１３は、室内熱交換器１１の冷媒パスの中間部に設けられている。より詳しく説明すると、本体熱交換部１１ａの正面部１１ａ−１側と本体熱交換部１１ａの正面部１１ａ−１側との間に差圧を設定するための弁である。電磁弁１３は、大開度および小開度の２位置のみを取ることが可能なオンオフ弁であり、必要時(例えば、後述する再熱除湿運転時)にオンされ、大開度の位置から小開度の位置に切り替えられる。
【００２２】
室外機２は、圧縮機２１と、四路切換弁２２と、室外熱交換器２３と、膨張機構の一例としての膨張弁２４と、アキュムレータ２５と、室外熱交換器２３に空気を送る室外ファン２６とを有する。さらに、室外機２は、室外熱交換器２３の温度を検出する室外熱交換器温度センサ５６と、外気温度を検出する外気温度センサ５７と、膨張弁２４で減圧された冷媒の温度(蒸発温度)を検出する冷媒温度センサ５８とを有する。なお、冷媒温度センサ５８は、第１冷媒温度センサの一例である。
【００２３】
室外熱交換器２３は、室外ファン２６による空気流に関して、室外ファン２６よりも下流側に位置している。室外熱交換器２３内を流れる冷媒は、室内ファン１２からの空気と熱交換する。
【００２４】
膨張弁２４は、互いに異なる３以上の開度に調整可能な例えば電動弁であって、制御部の一例としての制御装置１００(図２に示す)からの信号に応じて開度が変化する。
【００２５】
また、上記空気調和機の冷媒回路ＲＣは、室内熱交換器１１、圧縮機２１、四路切換弁２２、室外熱交換器２３、膨張弁２４、アキュムレータ２５および冷媒配管Ｌ３〜Ｌ９から成っている。より詳しく説明すると、室内熱交換器１１、圧縮機２１、四路切換弁２２、室外熱交換器２３、膨張弁２４およびアキュムレータ２５が、冷媒配管Ｌ３〜Ｌ９によって流体的に接続される。これにより、環状の冷媒回路ＲＣが構成されている。このような冷媒回路ＲＣにおいて、圧縮機２１の駆動時、冷媒が循環する。
【００２６】
外気温度センサ５７は、室外ファン２６による空気流に関して、室外熱交換器２３よりも上流側に位置している。すなわち、室外ファン２６の駆動時、室外熱交換器２３と熱交換する前の室外空気が外気温度センサ５７を経由するようになっている。
【００２７】
また、図示しないが、上記空気調和機は、リモートコントローラ(以下、「リモコン」と言う。)を備える。ユーザは、リモコンを操作して、自動運転、冷房運転、暖房運転、除湿運転などを開始させたり、停止させたりすることができる。
【００２８】
図２は、上記空気調和機の制御ブロック図である。
【００２９】
上記空気調和機は、冷媒回路ＲＣを制御する制御装置１００を備える。より詳しく説明すると、制御装置１００は、マイクロコンピュータ、入出力回路などから成っている。この制御装置１００が、室内熱交換器温度センサ５１、室内温度センサ５２、室内湿度センサ５３、室外熱交換器温度センサ５６、外気温度センサ５７、冷媒温度センサ５８などからの信号に基づいて、圧縮機２１、四路切換弁２２、膨張弁２４、室外ファン２６、室内ファン１２、電磁弁１３などを制御する。なお、制御装置１００は制御部の一例である。
【００３０】
また、制御装置１００は、冷房除湿運転を行う冷房除湿運転制御部１００ａと、過絞り除湿運転を行う過絞り除湿運転制御部１００ｂと、再熱除湿運転を行う再熱除湿運転制御部１００ｃとを有する。この冷房除湿運転制御部１００ａ、過絞り除湿運転制御部１００ｂおよび再熱除湿運転制御部１００ｃは、それぞれ、ソフトウェアにより構成されている。なお、上記冷房除湿運転は、第１除湿運転の一例である。また、上記過絞り除湿運転は、第２除湿運転の一例である。また、上記再熱除湿運転は、第３除湿運転の一例である。
【００３１】
［冷房除湿運転］
上記冷房除湿運転は、図１に示すように、四路切換弁２２を実線の切換え位置に切り換えると共に、圧縮機２１を起動することで、開始される。この冷房除湿運転中、圧縮機２１から吐出された高温高圧の冷媒が四路切換弁２２を介して室外熱交換器２３に流入する。そして、室外熱交換器２３で凝縮した冷媒は、膨張弁２４で減圧された後、室内熱交換器１１の補助熱交換部１１ｂと、室内熱交換器１１の本体熱交換部１１ａとに、この順で流入する。この本体熱交換部１１ａおよび補助熱交換部１１ｂで蒸発した冷媒が四路切換弁２２およびアキュムレータ２５を介して圧縮機２１の吸入側に戻る。このように、冷媒が冷媒回路ＲＣを循環するとき、冷房除湿運転制御部１００ａが、圧縮機２１の周波数と膨張弁２４の開度とを調整すると共に、電磁弁１３をオフにすることで、図３に示すように、室内熱交換器１１の実質的に全部を蒸発域(図３において斜線のハッチングを付した領域)とする。これにより、上記冷房除湿運転は、室内温度を変化させるための能力である顕熱能力が高くなる。
【００３２】
ここで、室内熱交換器１１の実質的に全部を蒸発域にするとは、室内熱交換器１１の全部を蒸発域にするときだけでなく、室内熱交換器１１において一部を除いた部分だけを蒸発域にするときも含む。この一部(例えば、室内熱交換器１１の全容積の１／３以下の部分)だけが蒸発域とならないときとしては、例えば、室内環境などによって、室内熱交換器１１の冷媒出口近傍の部分が過熱域となるときなどがある。
【００３３】
［過絞り除湿運転］
上記過絞り除湿運転は、上記冷房除湿運転のときと同じ方向に冷媒を流す。このとき、過絞り除湿運転制御部１００ｂが、圧縮機２１の周波数と膨張弁２４の開度とを調整すると共に、電磁弁１３をオフにすることで、図４に示すように、補助熱交換部１１ｂを蒸発域(斜線のハッチングを付した領域)にする一方、本体熱交換部１１ａの正面部１１ａ−１および背面部１１ａ−２を過熱域(点のハッチングを付した領域)にする。これにより、上記過絞り除湿運転は、冷房除湿運転によりも顕熱能力が低くなるので、室内の熱負荷が高くも低くもないとき、室温の低下を抑制しつつ、室内の除湿を行える。
【００３４】
また、過絞り除湿運転制御部１００ｂは、過絞り除湿運転中、蒸発域が所定容積(例えば、室内熱交換器１１の全容積の２／３)以下となるように、圧縮機２１および膨張弁２４を制御する。
【００３５】
［再熱除湿運転］
上記再熱除湿運転は、上記冷房除湿運転のときと同じ方向に冷媒を流す。このとき、再熱除湿運転制御部１００ｃが、圧縮機２１の周波数と膨張弁２４の開度とを調整すると共に、電磁弁１３をオンにすることで、図５に示すように、補助熱交換部１１ｂと本体熱交換部１１ａの正面部１１ａ−１とを凝縮域(格子のハッチングを付した領域)にする一方、本体熱交換部１１ａの背面部１１ａ−２を蒸発域(斜線のハッチングを付した領域)にする。これにより、上記再熱除湿運転は、過絞り除湿運転よりも顕熱能力が低くなるので、室内の熱負荷が低いとき、室温の低下を抑制しつつ、室内の除湿を行える。
【００３６】
また、上記再熱除湿運転では、電磁弁１３は、小開度の位置に切り替えられる。すなわち、上記再熱除湿運転における電磁弁１３の開度は、空気流量が１０Ｌ／ｍｉｎ未満に相当する開度である。上記再熱除湿運転における電磁弁１３の開度は、空気流量が５Ｌ／ｍｉｎに相当する開度であれば好ましい。さらに、上記再熱除湿運転における電磁弁１３の開度は、空気流量が３．５Ｌ／ｍｉｎに相当する開度であれば好ましい。ここで、「上記再熱除湿運転における電磁弁１３の開度が、空気流量が１０Ｌ／ｍｉｎ未満に相当する開度である」とは、上記開度において冷媒回路ＲＣを流れる空気流量が１０Ｌ／ｍｉｎ未満であることをいうのではなく、電磁弁１３の流量特性から求められる上記開度における空気流量が１０Ｌ／ｍｉｎ未満であることをいう。
【００３７】
上記冷房除湿運転、過絞り除湿運転または再熱除湿運転は、リモコンの除湿運転のボタンの押下に応じて開始するようになっている。より詳しく説明すると、上記除湿運転のボタが押下されると、例えば顕熱比に基づいて、冷房除湿運転、過絞り除湿運転および再熱除湿運転のうちの一つの除湿運転が自動的に選択されて開始する。その後、上記顕熱比の変化に応じて、他の除湿運転に自動的に切り替わる。なお、上記顕熱比とは、全熱(＝顕熱＋潜熱)に対する顕熱の比を指す。
【００３８】
図６は、上記空気調和機の冷房除湿運転時、過絞り除湿運転時および再熱除湿運転時のモリエル線図である。
【００３９】
過絞り除湿運転制御部１００ｂの制御は、過絞り除湿運転の蒸発温度は、冷房除湿運転の蒸発温度よりも低くなるように行われる。このとき、膨張弁２４の開度は、通常、冷房除湿運転中の膨張弁２４の開度よりも小さくなる。
【００４０】
再熱除湿運転制御部１００ｃの制御は、再熱除湿運転の蒸発温度が過絞り除湿運転の蒸発温度よりも低くなるように行われる。このとき、膨張弁２４の開度は、過絞り除湿運転中における膨張弁２４の最大開度よりも大きい開度に固定される。
【００４１】
図７は、上記空気調和機の冷房除湿運転、過絞り除湿運転および再熱除湿運転の運転条件を比較するための表を示す。
【００４２】
再熱除湿運転時における室内ファン１２の回転数の上限値が、過絞り除湿運転時における室内ファン１２の回転数の上限値よりも高くなるように、かつ、再熱除湿運転時における室内ファン１２の回転数の下限値が、過絞り除湿運転時における室内ファン１２の回転数の下限値よりも高くなるように、室内ファン１２を制御する。このとき、再熱除湿運転時における室内ファン１２の回転数の上限値は例えば９７０ｒｐｍに設定される一方、過絞り除湿運転時における室内ファン１２の回転数の上限値は例えば８４０ｒｐｍに設定される。また、再熱除湿運転時における室内ファン１２の回転数の下限値は例えば７５０ｒｐｍに設定される一方、過絞り除湿運転時における室内ファン１２の回転数の下限値は例えば５１０ｒｐｍに設定される。
【００４３】
また、膨張弁２４の開度は、パルス信号によって調整される。このパルス信号のパルス数は、膨張弁２４の開度と比例する。すなわち、上記パルス数が増えにつれて、膨張弁２４の開度は大きくなる。
【００４４】
上記構成の空気調和機では、リモコンの除湿運転のボタンが押下された後、再熱除湿運転が開始すると、再熱除湿運転制御部１００ｃが室内ファン１２を制御する。これにより、再熱除湿運転時における室内ファン１２の回転数の上限値が、過絞り除湿運転時における室内ファン１２の回転数の上限値よりも高くなる。したがって、上記再熱除湿運転時における除湿量を増やすことができる。
【００４５】
また、再熱除湿運転制御部１００ｃが室内ファン１２を制御することにより、再熱除湿運転時における室内ファン１２の回転数の下限値が、過絞り除湿運転時における室内ファン１２の回転数の下限値よりも高くなる。したがって、上記再熱除湿運転で室内を除湿するとき、室温低下の抑制能力を高めることができる。
【００４６】
上記実施形態では、再熱除湿運転時における室内ファン１２の回転数の下限値は、過絞り除湿運転時における室内ファン１２の回転数の下限値よりも高くなるようにしていたが、再熱除湿運転時における室内ファン１２の回転数の下限値は、過絞り除湿運転時における室内ファン１２の回転数の下限値と同じ、または、その下限値より低くなるようにしてもよい。
【００４７】
上記実施形態では、リモコンの除湿運転のボタンが押下されると、冷房除湿運転、過絞り除湿運転および再熱除湿運転のうちの一つの除湿運転が適宜選択されて行われていたが、リモコンの自動運転のボタンが押下されても、冷房除湿運転、過絞り除湿運転および再熱除湿運転のうちの一つの除湿運転が適宜選択されて行われるようにしてもよい。ここで、上記自動運転は、室内温度、室外温度などに基づいて、冷房運転、除湿運転、暖房運転などから一つが自動的に選択されて開始した後、自動的に他の空調運転に切り替わるものである。すなわち、例えば、上記自動運転の除湿運転において過絞り除湿運転が自動的に開始してもよい。また、上記自動運転の除湿運転では、冷房除湿運転、過絞り除湿運転および再熱除湿運転は、例えば顕熱比の変化に応じて、自動的に互いに切り替わるようにしてもよい。
【００４８】
上記実施形態では、室内熱交換器１１は、本体熱交換部１１ａと補助熱交換部１１ｂを有していたが、本体熱交換部１１ａを有する一方、補助熱交換部１１ｂを有さないようにしてもよい。このようにする場合、過絞り除湿運転時、本体熱交換部１１ａの一部だけが蒸発域となるようにすればよい。
【００４９】
上記実施形態では、本体熱交換部１１ａの正面部１１ａ−１側と本体熱交換部１１ａの正面部１１ａ−１側との間に、電磁弁１３を設けていたが、互いに異なる３以上の開度に調整可能な電動弁を制御弁の一例として設けてもよい。
【００５０】
上記実施形態において、制御装置１００は、室内機１側の室内制御部(図示せず)と、室外機２側の室外制御部(図示せず)とで構成されてもよいし、上記室内制御部のみで構成されるようにしてもよいし、上記室外制御部のみで構成されてもよい。別の言い方をすれば、制御装置１００は、一部が室内機１に搭載され、かつ、残りの他の部分が室外機２に搭載されるようにしてもよいし、全部が室内機１に搭載されるようにしてもよいし、全部が室外機２に搭載されるようにしてもよい。
【００５１】
上記実施形態では、冷房除湿運転制御部１００ａ、過絞り除湿運転制御部１００ｂおよび再熱除湿運転制御部１００ｃは、それぞれ、ソフトウェアにより構成されていたが、冷房除湿運転制御部１００ａ、過絞り除湿運転制御部１００ｂおよび再熱除湿運転制御部１００ｃのうちの少なくとも一つが、ハードウェアにより構成されるようにしてもよい。
【００５２】
上記実施形態において、再熱除湿運転制御部１００ｃは、室外ファン２６の回転数が最大回転数になってから、再熱除湿運転が終わるように、室外ファン２６を制御してもよい。すなわち、再熱除湿運転が終わる直前に、室外ファン２６の回転数が最大回転数になってもよい。これにより、上記再熱除湿運転後、電磁弁１３のオフが容易となる。
【００５３】
上記実施形態において、再熱除湿運転制御部１００ｃは、再熱除湿運転の前に過絞り除湿運転を行うようにしてもうよい。別の言い方をすれば、過絞り除湿運転に引き続いて再熱除湿運転が開始するようにしてもよい。このようにした場合、消費電力を低減することができる。
【００５４】
本開示の具体的な実施形態について説明したが、本開示は上記第１〜第３実施形態およびその変形例に限定されるものではなく、本開示の範囲内で種々変更して実施することができる。例えば、上記実施形態の変形例同士を組み合わせたものを、本開示の一実施形態としてもよい。
【符号の説明】
【００５５】
１  室内機
２  室外機
１１  室内熱交換器
１１ａ  本体熱交換部
１１ａ−１  正面部
１１ａ−２  背面部
１１ｂ  補助熱交換部
１３  電磁弁
１２  室内ファン
２１  圧縮機
２２  四路切換弁
２３  室外熱交換器
２４  膨張弁
２５  アキュムレータ
２６  室外ファン
５１  室内熱交換器温度センサ
５２  室内温度センサ
５３  室内湿度センサ
５６  室外熱交換器温度センサ
５７  外気温度センサ
５８  冷媒温度センセ
１００  制御装置
１００ａ  冷房除湿運転制御部
１００ｂ  過絞り除湿運転制御部
１００ｃ  再熱除湿運転制御部
ＲＣ  冷媒回路
【図１】
2020070984.tif 000003
【図２】
2020070984.tif 000004
【図３】
2020070984.tif 000005
【図４】
2020070984.tif 000006
【図５】
2020070984.tif 000007
【図６】
2020070984.tif 000008
【図７】
2020070984.tif 000009